(57)【要約】【課題】色分解プリズムとＣＣＤとからなる撮像装置において、ＣＣＤについてあおり調整を含む位置調整を行うことができ、各ＣＣＤの取り付け精度が確保されるとともに、ＣＣＤの取付けについての信頼性も確保されるようにする。【解決手段】入射光を赤色帯域光、緑色帯域光及び青色帯域光に分解する色分解プリズム１，２，３と、色分解プリズム１，２，３から出射される各色帯域光をそれぞれ受光するＣＣＤ６，７，８とを備え、赤色光用ＣＣＤ８及び青色光用ＣＣＤ７のいずれか一方は、色分解プリズム１，２，３の対応する出射面に対して空気層を介さずに接合され、他の二のＣＣＤは、対応する出射面に対して空気層を介して保持されている。【選択図】図１
2007267032.tif 000002
【特許請求の範囲】
【請求項１】
入射光を赤色帯域光、緑色帯域光及び青色帯域光に分解し、これら各色帯域光を互いに異なる出射面から出射する色分解プリズムと、
前記色分解プリズムから出射される赤色帯域光を受光する赤色光用固体撮像素子と、
前記色分解プリズムから出射される緑色帯域光を受光する緑色光用固体撮像素子と、
前記色分解プリズムから出射される青色帯域光を受光する青色光用固体撮像素子と
を備え、
前記赤色光用固体撮像素子及び前記青色光用固体撮像素子のいずれか一方は、前記色分解プリズムの対応する出射面に対して空気層を介さずに接合されており、
他の二の固体撮像素子は、対応する出射面に対して空気層を介して保持されている
ことを特徴とする撮像装置。
【請求項２】
前記色分解プリズムの出射面に対して空気層を介さずに接合されている固体撮像素子と、当該出射面との間には、トリミングフィルタが介在されている
ことを特徴とする請求項１記載の撮像装置。
【請求項３】
入射光を赤色帯域光、緑色帯域光及び青色帯域光に分解しこれら各色帯域光を互いに異なる出射面から出射する色分解プリズムを、複数のプリズム部材を接合して作成する工程と、
前記色分解プリズムの第１の出射面に対向させて、この第１の出射面から出射される赤色帯域光を受光する赤色光用固体撮像素子を配置する工程と、
前記色分解プリズムの第２の出射面に対向させて、この第２の出射面から出射される緑色帯域光を受光する緑色光用固体撮像素子を配置する工程と、
前記色分解プリズムの第３の出射面に対向させて、この第３の出射面から出射される青色帯域光を受光する青色光用固体撮像素子を配置する工程と
を有し、
前記赤色光用固体撮像素子及び前記青色光用固体撮像素子のいずれか一方は、前記色分解プリズムの対応する出射面に対して空気層を介さずに接合し、
他の二の固体撮像素子は、対応する出射面に対して空気層を介した状態で、前記出射面に対して空気層を介さずに接合された固体撮像素子を基準として位置調整を行い、その後に固定する
ことを特徴とする撮像装置の製造方法。
【請求項４】
前記色分解プリズムの出射面に対して空気層を介さずに接合する固体撮像素子と、当該出射面との間には、トリミングフィルタを介在させる
ことを特徴とする請求項３記載の撮像装置の製造方法。
【発明の詳細な説明】
【技術分野】
【０００１】
本発明は、ビデオカメラや各種カメラレンズにおいて使用される撮像装置及びそのような撮像装置の製造方法に関する。
【背景技術】
【０００２】
ビデオカメラや各種カメラレンズにおいては、入射光を互いに異なる波長の光、例えば、光の３原色（Ｒ（赤色）、Ｇ（緑色）、Ｂ（青色））に分解して撮像する撮像装置が使用されている。このような撮像装置は、色分解プリズムと、この色分解プリズムによって色分解されたＲ、Ｇ、Ｂの各原色帯域光を受光する固体撮像素子（ＣＣＤ、ＭＯＳ等）とから構成されている。
【０００３】
色分解プリズムは、複数のプリズム部材と、これらプリズム部材のうちの少なくとも一に形成された色分解膜とからなり、これら複数のプリズム部材が互いの光学面を接合されることによって構成されている。
【０００４】
このような撮像装置を備えたビデオカメラは、いわゆる「３ＣＣＤカメラシステム」、あるいは、「３ＭＯＳカメラシステム」と称される。「３ＣＣＤカメラシステム」は、色分解プリズムを用いずにカラーフィルタ等によって色分解を行って１枚の撮像素子によって受光するビデオカメラに比較して、色再現性などにおいて良好な画質の撮像が行える。そのため、「３ＣＣＤカメラシステム」は、従来、業務用ビデオカメラとして使用されてきたが、近年においては、民生用ビデオカメラとしても使用されており、量産コストの低減や小型化の要求が高まっている。
【０００５】
前述のような撮像装置を構成する色分解プリズムは、３個のプリズム部材（Ｇプリズム、Ｂプリズム及びＲプリズム）によって構成されている。このような色分解プリズムとして、特許文献１には、全てのプリズムをエアーギャップを設けずに密着接合させた簡素な構成の色分解プリズム（ギャップレスプリズム）が記載されている。
【０００６】
この色分解プリズムは、図３に示すように、撮像レンズからの入射光Ａが入射されるＧプリズム１０１と、このＧプリズム１０１に密着接合されたＢプリズム１０２と、このＢプリズム１０２に密着接合されたＲプリズム１０３とを有して構成されている。Ｇプリズム１０１とＢプリズム１０２との間には、緑色帯域光を反射する色分解膜である第１のダイクロイック膜１０４が形成され、Ｂプリズム１０２とＲプリズム１０３との間には、青色帯域光を反射する色分解膜である第２のダイクロイック膜１０５が形成されている。なお、Ｇプリズム１０１には、ゴースト光を止めるための遮光溝が設けてある。
【０００７】
この撮像装置においては、図示しない撮像レンズから色分解プリズムへの入射光Ａは、Ｇプリズム１０１を経て第１のダイクロイック膜１０４に至り、この第１のダイクロイック膜１０４において、緑色帯域光のみが反射され、他の色の成分が透過されることによって、色分解される。第１のダイクロイック膜１０４において反射された緑色帯域光は、Ｇプリズム１０１の内面で全反射された後、このＧプリズム１０１の出射面より出射して、緑色帯域光用撮像素子１０６によって受光される。
【０００８】
第１のダイクロイック膜１０４を透過した光は、Ｂプリズム１０２を経て第２のダイクロイック膜１０５に至り、この第２のダイクロイック膜１０５において、青色帯域光のみが反射され、他の色の成分が透過されることによって、色分解される。第２のダイクロイック膜１０５において反射された青色帯域光は、Ｂプリズム１０２の出射面より出射して、青色光用撮像素子１０７によって受光される。なお、Ｂプリズム１０２の出射面には、Ｂトリミングフィルタ１０２ａが密着接合されている。
【０００９】
第２のダイクロイック膜１０５を透過した光（赤色帯域光）は、Ｒプリズム１０３を経て、Ｒプリズム１０３の出射面より出射して、赤色光用撮像素子１０８によって受光される。
【００１０】
このようにして、この撮像装置においては、Ｇプリズム１０１が緑色帯域光のみを緑色光用撮像素子１０６に導光し、Ｂプリズム１０２が青色帯域光のみを青色光用撮像素子１０７に導光し、また、Ｒプリズム１０３が赤色帯域光のみを赤色光用撮像素子１０８に導光する。
【００１１】
このような撮像装置の製造においては、Ｇプリズム１０１に対して、Ｂプリズム１０２及びＲプリズム１０３は、青色光用撮像素子１０７及び赤色光用撮像素子１０８ヘの光路長が一致するように接合される。そして、緑色光用撮像素子１０６、青色光用撮像素子１０７及び赤色光用撮像素子１０８のそれぞれについて、レジストレーション調整、あおり調整、バックフォーカス調整等の位置調整を行った後、それぞれを固定する。この場合、緑色光用撮像素子１０６、青色光用撮像素子１０７及び赤色光用撮像素子１０８は、色分解プリズムの対応する出射面に対して、空気層を介して保持された状態となる。
【００１２】
ところで、このような撮像装置においては、従来、各固体撮像素子と色分解プリズムの対応する出射面との間には、それぞれに各色のトリミングフィルタが設けられていた。しかし、近年では、コストダウンの要請や、緑色及び赤色のトリミングフィルタにはカドミウムが含まれていることなどの理由で、青色のトリミングフィルタ（ブルートリミングフィルタ）のみが使用されている。これは、ダイクロイック膜は角度依存性を有することから、青色か赤色のトリミングフィルタのいずれか一方は使う必要があるためである。ブルートリミングフィルタとしては、例えば、「Ｂ３９０」のような色ガラス、あるいは、有機物質をガラス基材に塗装したものが使われている。
【００１３】
一方、特許文献２には、色分解プリズムの出射面と固体撮像素子とを、空気層を介さずに接合するようにした撮像装置が記載されている。この撮像装置においては、まず、固体撮像素子と対応するプリズム部材との接合を行い、その後に、プリズム部材同士の接合を行って色分解プリズムを構成するようにしている。すなわち、この撮像装置においては、各固体撮像素子についてのバックフォーカス調整は、プリズム部材同士の貼り合わせ位置によって調整している。
【００１４】
【特許文献１】特開昭５０−１５９６１８号公報
【特許文献２】特許第２８１１９８５号公報
【発明の開示】
【発明が解決しようとする課題】
【００１５】
前述のような撮像装置においては、量産コストの低減と品質確保とを両立させる観点から、製造を煩雑化することなく、色分解プリズムに対する緑色光用撮像素子、青色光用撮像素子及び赤色光用撮像素子の取り付け精度及び信頼性を維持することが重要である。
【００１６】
一方で、固体撮像素子は、半導体技術の進歩により、小型化、高画素化が続いている。このように固体撮像素子が小型化されると、この固体撮像素子を保持するための構造も小型化するため、固体撮像素子とプリズムとの間に空気層が介在している構造では、取り付け精度及び信頼性を確保することが困難となっている。
【００１７】
特に、青色光用撮像素子については、色分解プリズムとの間にブルートリミングフィルタが設けてあり、接着部が一面増えるため、取り付け精度及び信頼性の確保が困難となっている。
【００１８】
一方、色分解プリズムの出射面と固体撮像素子とを空気層を介さずに接合するようにした撮像装置においては、色分解プリズムと固体撮像素子との接合については信頼性が確保されるものの、固体撮像素子のあおり調整ができないという問題がある。そのため、この撮像装置においては、周辺画質を良好とすることが困難となっている。
【００１９】
固体撮像素子の小型化及び高画素化は今後も続くことから、取り付け精度の確保のためのあおり調整は必要であり、信頼性との両立が望まれている。
【００２０】
そこで、本発明は、前述の実情に鑑みて提案されるものであって、色分解プリズムと固体撮像素子とからなる撮像装置において、固体撮像素子についてあおり調整を含む位置調整を行うことができ、各固体撮像素子の取り付け精度が確保されるとともに、固体撮像素子の取付けについての信頼性も確保されるようになされた撮像装置及びこのような撮像装置の製造方法を提供することを目的とする。
【課題を解決するための手段】
【００２１】
前述の課題を解決し、前記目的を達成するため、本発明に係る撮像装置は、以下の構成のいずれか一を有するものである。
【００２２】
〔構成１〕
入射光を赤色帯域光、緑色帯域光及び青色帯域光に分解しこれら各色帯域光の光を互いに異なる出射面から出射する色分解プリズムと、この色分解プリズムから出射される赤色帯域光を受光する赤色光用固体撮像素子と、色分解プリズムから出射される緑色帯域光を受光する緑色光用固体撮像素子と、色分解プリズムから出射される青色帯域光を受光する青色光用固体撮像素子とを備え、赤色光用固体撮像素子及び青色光用固体撮像素子のいずれか一方は、色分解プリズムの対応する出射面に対して空気層を介さずに接合されており、他の二の固体撮像素子は、対応する出射面に対して空気層を介して保持されていることを特徴とするものである。
【００２３】
〔構成２〕
構成１を有する撮像装置において、色分解プリズムの出射面に対して空気層を介さずに接合されている固体撮像素子と、当該出射面との間には、トリミングフィルタが介在されていることを特徴とするものである。
【００２４】
また、本発明に係る撮像装置の製造方法は、以下の構成のいずれか一を有するものである。
【００２５】
〔構成３〕
入射光を赤色帯域、緑色帯域及び青色帯域の光に分解しこれら各色帯域の光を互いに異なる出射面から出射する色分解プリズムを複数のプリズム部材を接合して作成する工程と、色分解プリズムの第１の出射面に対向させてこの第１の出射面から出射される赤色帯域光を受光する赤色光用固体撮像素子を配置する工程と、色分解プリズムの第２の出射面に対向させてこの第２の出射面から出射される緑色帯域光を受光する緑色光用固体撮像素子を配置する工程と、色分解プリズムの第３の出射面に対向させて、この第３の出射面から出射される青色帯域光を受光する青色光用固体撮像素子を配置する工程とを有し、赤色光用固体撮像素子及び青色光用固体撮像素子のいずれか一方は、色分解プリズムの対応する出射面に対して空気層を介さずに接合し、他の二の固体撮像素子は、対応する出射面に対して空気層を介した状態で、出射面に対して空気層を介さずに接合された固体撮像素子を基準として位置調整を行い、その後に固定することを特徴とするものである。
【００２６】
〔構成４〕
構成３を有する撮像装置の製造方法において、色分解プリズムの出射面に対して空気層を介さずに接合する固体撮像素子と、当該出射面との間には、トリミングフィルタを介在させることを特徴とするものである。
【発明の効果】
【００２７】
本発明に係る撮像装置においては、構成１を有することにより、赤色光用固体撮像素子及び青色光用固体撮像素子のいずれか一方は、色分解プリズムの対応する出射面に対して空気層を介さずに接合されているので、色分解プリズムに対する接合の信頼性が確保され、他の二の固体撮像素子は、対応する出射面に対して空気層を介して保持されているので、レジストレーション調整、あおり調整及びバックフォーカス調整を行うことができ、取り付け精度を確保することができる。
【００２８】
また、本発明に係る撮像装置においては、構成２を有することにより、色分解プリズムの出射面との間にトリミングフィルタが介在される固体撮像素子は、当該出射面に対して空気層を介さずに接合されているので、接合の信頼性を確保することができる。
【００２９】
本発明に係る撮像装置の製造方法においては、構成３を有することにより、赤色光用固体撮像素子及び青色光用固体撮像素子のいずれか一方を、色分解プリズムの対応する出射面に対して空気層を介さずに接合するので、色分解プリズムに対する接合の信頼性を確保することができ、他の二の固体撮像素子を、対応する出射面に対して空気層を介した状態で、レジストレーション調整、あおり調整及びバックフォーカス調整を行った後に固定するので、取り付け精度を確保することができる。
【００３０】
また、本発明に係る撮像装置の製造方法においては、構成４を有することにより、色分解プリズムの出射面との間にトリミングフィルタ介在させる固体撮像素子は、当該出射面に対して空気層を介さずに接合するので、接合の信頼性を確保することができる。
【００３１】
すなわち、本発明は、色分解プリズムと固体撮像素子とからなる撮像装置において、固体撮像素子についてあおり調整を含む位置調整を行うことができ、各固体撮像素子の取り付け精度が確保されるとともに、固体撮像素子の取付けについての信頼性も確保されるようになされた撮像装置及びこのような撮像装置の製造方法を提供することができるものである。
【発明を実施するための最良の形態】
【００３２】
以下、本発明を実施するための最良の形態について、図面を参照して説明する。
【００３３】
〔撮像装置の構成〕
図１は、本発明に係る撮像装置の構成を示す側面図である。
【００３４】
本発明に係る撮像装置は、ビデオカメラや各種カメラレンズにおいて、入射光を光の３原色に相当する赤色帯域光、緑色帯域光及び青色帯域光に分解して撮像する装置である。この撮像装置は、図１に示すように、色分解プリズムと、この色分解プリズムによって色分解された赤色帯域光、緑色帯域光及び青色帯域光を受光する固体撮像素子（ＣＣＤ、ＭＯＳ等）６，７，８とから構成されている。
【００３５】
この撮像装置を構成する色分解プリズムは、図示しない撮像レンズからの入射光Ａが入射されるプリズム部材であるＧプリズム１と、このＧプリズム１に密着接合されたプリズム部材であるＢプリズム２と、このＢプリズム２に密着接合されたプリズム部材であるＲプリズム３とから構成されている。Ｇプリズム１とＢプリズム２との間には、緑色帯域光を反射する色分解膜である第１のダイクロイック膜４が形成され、Ｂプリズム２とＲプリズム３との間には、青色帯域光を反射する色分解膜である第２のダイクロイック膜５が形成されている。なお、Ｇプリズム１には、ゴースト光を止めるための遮光溝が設けてある。
【００３６】
この撮像装置においては、色分解プリズムへの入射光Ａは、Ｇプリズム１を経て第１のダイクロイック膜４に至り、この第１のダイクロイック膜４において、緑色帯域光のみが反射され、他の色の成分が透過されることによって、色分解される。第１のダイクロイック膜４において反射された緑色帯域光は、Ｇプリズム１の内面で全反射された後、このＧプリズム１の出射面より出射して、緑色光用撮像素子６によって受光される。
【００３７】
第１のダイクロイック膜４を透過した光は、Ｂプリズム２を経て第２のダイクロイック膜５に至り、この第２のダイクロイック膜５において、青色帯域光のみが反射され、他の色の成分が透過されることによって、色分解される。第２のダイクロイック膜５において反射された青色帯域光は、Ｂプリズム２の出射面より出射して、青色光用撮像素子７によって受光される。なお、Ｂプリズム２の出射面には、ブルートリミングフィルタ２ａが密着接合されている。すなわち、この撮像装置の製造においては、青色光用撮像素子７は、Ｂプリズム２の出射面に対して、ブルートリミングフィルタ２ａを介在させて、空気層を介さずに接合されている。
【００３８】
なお、ブルートリミングフィルタ２ａとしては、例えば、「Ｂ３９０」のような色ガラス、あるいは、有機物質をガラス基材に塗装したものを使用することができる。
【００３９】
第２のダイクロイック膜５を透過した光（赤色帯域光）は、Ｒプリズム３を経て、Ｒプリズム３の出射面より出射して、赤色光用撮像素子８によって受光される。
【００４０】
このようにして、この撮像装置色においては、Ｇプリズム１が緑色帯域光のみを緑色光用撮像素子６に導光し、Ｂプリズム２が青色帯域光のみを青色光用撮像素子７に導光し、また、Ｒプリズム３が赤色帯域光のみを赤色光用撮像素子８に導光する。
【００４１】
この撮像装置の製造においては、緑色光用撮像素子６及び赤色光用撮像素子８は、Ｇプリズム１の出射面及びＲプリズム３の出射面に対して、空気層を介して保持されている。これら緑色光用撮像素子６及び赤色光用撮像素子８は、青色光用撮像素子７を基準として、レジストレーション調整、あおり調整、バックフォーカス調整をなれた後に、固定されている。
【００４２】
ここで、Ｂプリズム２は、このＢプリズム２及びブルートリミングフィルタ２ａをなす硝材の屈折率をｎとしたとき、Ｇプリズム１の出射面及びＲプリズム３の出射面と緑色光用撮像素子６及び赤色光用撮像素子８との間の空気層の厚さのｎ倍分だけ、他のプリズム部材よりもプリズム中及びブルートリミングフィルタ２ａ中の光路が長くなるように構成されている。空気層の厚さを０．３ｍｍとした場合、ｎが、例えば、１．５１６８であれば、Ｂプリズム２及びブルートリミングフィルタ２ａ中の光路は、０．３ｍｍ×１．５１６８＝０．４５５ｍｍだけ、Ｇプリズム１及びＲプリズム３中の光路よりも長くなっている。
【００４３】
〔撮像装置の製造方法〕
図２は、本発明に係る撮像装置の製造方法を示す工程図である。
【００４４】
本発明に係る撮像装置を製造するには、まず、色分解プリズムを製造する。色分解プリズムを製造するには、図２に示すように、Ｇプリズム１、Ｂプリズム２及びＲプリズム３をそれぞれ作成し、また、これらプリズム１，２，３の所定の光学面に各ダイクロイック膜４，５を形成しておく。各プリズム１，２，３は、ガラス材料の粗加工（研削、溝入れ等）及び仕上げ加工（ラップ、ポリッシュ）の各工程を経て作成される。また、各ダイクロイック膜４，５は、蒸着等の成膜加工工程によって作成される。
【００４５】
次に、プリズム組立工程として、Ｇプリズム１にＢプリズム２を密着接合させ、また、Ｂプリズム２にＲプリズム３を密着接合させる。
【００４６】
次に、青色光用撮像素子７を、ブルートリミングフィルタ２ａを介して、Ｂプリズム２の出射面に空気層を介さずに接合させる。そして、緑色光用撮像素子６及び赤色光用撮像素子８を、Ｇプリズム１及びＲプリズム３の出射面に対向させ、空気層を介した状態で、青色光用撮像素子７を基準として、レジストレーション調整、あおり調整、バックフォーカス調整を経て、固定する。これら緑色光用撮像素子６及び赤色光用撮像素子８については、空中接着と称される状態で固定する。
【００４７】
ここで、Ｂプリズム２は、このＢプリズム２及びブルートリミングフィルタ２ａをなす硝材の屈折率をｎとしたとき、Ｇプリズム１の出射面及びＲプリズム３の出射面と緑色光用撮像素子６及び赤色光用撮像素子８との間の空気層の厚さのｎ倍分だけ、他のプリズム部材よりもプリズム中及びブルートリミングフィルタ２ａ中の光路が長くなるように構成しておく。空気層の厚さを０．３ｍｍとした場合、ｎが、例えば、１．５１６８であれば、Ｂプリズム２及びブルートリミングフィルタ２ａ中の光路が、０．３ｍｍ×１．５１６８＝０．４５５ｍｍだけ、Ｇプリズム１及びＲプリズム３中の光路よりも長くなるようにする。
【００４８】
この撮像装置の製造方法においては、Ｂプリズム２の出射面とブルートリミングフィルタ２ａとの間、及び、ブルートリミングフィルタ２ａと青色光用撮像素子７のカバーガラスとの間が、接着剤ですきまなく接着されている。そのため、青色光用撮像素子７のカバーガラスにおける反射を防止することができるとともに、高温信頼性、温度サイクル信頼性を確保することができる。
【００４９】
そして、この撮像装置の製造方法においては、緑色光用撮像素子６及び赤色光用撮像素子８については、青色光用撮像素子７を基準として、相対的バックフォーカス調整を行っている。これは、撮像レンズの軸上色収差をキャンセルするためである。撮像レンズがズームレンズ（焦点距離可変レンズ）である場合には、撮像レンズの焦点距離を最短とした状態（ワイド端）での軸上色収差がキャンセルされるように調整する。
【００５０】
この撮像装置の製造方法においては、青色光用撮像素子７について、バックフォーカス調整及びあおり調整はできないが、バックフォーカス調整は、図示しない撮像レンズを取り付けた後に、撮像レンズのズートラ調整によって吸収することができる。具体的には、青色光用撮像素子７の取付け位置においてフォーカス位置を探しておき、この情報を調整位置情報としてメモリに保存しておくことで行うことができる。
【００５１】
あおり調整については、Ｙ感度ヘの青色帯域光の寄与度が１１％であり、赤色帯域光及び緑色帯域光に比べて低いため、プリズム部材の形状精度が確保されていれば、調整する必要はない。Ｙ感度は、以下の式で示される。
【００５２】
〔Ｙ感度〕≒０．２９〔Ｒ感度〕＋０．５９〔Ｇ感度〕＋０．１１〔Ｂ感度〕
なお、この式からわかるように、色分解プリズムに空気層を介さずに接合させる固体撮像素子は、青色光用撮像素子７ではなく、赤色光用撮像素子８であってもよい。この場合には、緑色光用撮像素子６及び青色光用撮像素子７を、Ｇプリズム１及びＢプリズム２の出射面に対向させ、空気層を介した状態で、赤色光用撮像素子８を基準として、レジストレーション調整、あおり調整、バックフォーカス調整を経て、固定する。この場合には、ブルートリミングフィルタ２ａを用いず、Ｒプリズム３の出射面と赤色光用撮像素子８との間に、レッドトリミングフィルタを設けることが好ましい。
【００５３】
〔第２の実施の形態〕
前述の実施の形態においては、Ｂプリズム２と青色光用撮像素子７と間にブルートリミングフィルタ２ａを介在させているが、このブルートリミングフィルタ２ａに代えて、Ｂプリズム２の出射面、または、青色光用撮像素子７のカバーガラスに、印刷、あるいは、有機膜を成膜することにより、ブルートリミングフィルタを形成するようにしてもよい。
【００５４】
この場合には、ブルートリミングフィルタ２ａをなすガラス基材がなくなるので、Ｂプリズム２の出射面と青色光用撮像素子７のカバーガラスとの間を接着剤ですきまなく接着でき、高温信頼性、温度サイクル信頼性をより確実に確保することができる。
【００５５】
この場合には、Ｂプリズム２は、このＢプリズム２をなす硝材の屈折率をｎとしたとき、Ｇプリズム１の出射面及びＲプリズム３の出射面と緑色光用撮像素子６及び赤色光用撮像素子８との間の空気層の厚さのｎ倍分だけ、他のプリズム部材よりもプリズム中の光路が長くなるように構成する。空気層の厚さを０．３ｍｍとした場合、ｎが、例えば、１．５１６８であれば、Ｂプリズム２中の光路が、０．３ｍｍ×１．５１６８＝０．４５５ｍｍだけ、Ｇプリズム１及びＲプリズム３中の光路よりも長くなるようにする。
【００５６】
なお、このように印刷や有機膜の成膜により形成されるトリミングフィルタは、固体撮像素子が空気層を介さずに接合される出射面に限らず、固体撮像素子が空気層を介して対向される出射面に設けるようにしてもよい。すなわち、Ｂプリズム２の出射面と青色光用撮像素子７のカバーガラスとを密着接合させる場合において、Ｒプリズム３の出射面にレッドトリミングフィルタを形成してもよく、また、Ｒプリズム３の出射面と赤色光用撮像素子８のカバーガラスとを密着接合させる場合において、Ｂプリズム２の出射面にブルートリミングフィルタを形成してもよい。
【００５７】
いずれの場合においても、固体撮像素子が空気層を介さずに接合される出射面を有するプリズム部材は、他のプリズム部材の出射面と固体撮像素子との間の空気層の厚さのｎ倍分だけ、他のプリズム部材よりもプリズム中の光路が長くなるように構成する。
【図面の簡単な説明】
【００５８】
【図１】本発明に係る撮像装置の構成を示す側面図である。
【図２】本発明に係る撮像装置の製造方法を示す工程図である。
【図３】従来の撮像装置の構成を示す側面図である。
【符号の説明】
【００５９】
１    Ｇプリズム
２    Ｂプリズム
２ａ  ブルートリミングフィルタ
３    Ｒプリズム
４    第１のダイクロイック膜
５    第２のダイクロイック膜
６    緑色光用撮像素子
７    青色光用撮像素子
８    赤色光用撮像素子
Ａ    入射光
【図１】
2007267032.tif 000003
【図２】
2007267032.tif 000004
【図３】
2007267032.tif 000005